(57)【要約】【課題】コンロ部燃焼残時間とグリル部燃焼残時間との双方を簡単に確認できるグリル付コンロを提供する。【解決手段】コンロ部４，５を備えたコンロ本体２にグリル部６を配設し、コンロ本体２に、コンロ部用タイマ及びグリル部用タイマを内蔵させると共に、コンロ部用タイマで計時されるコンロ部燃焼残時間及びグリル部用タイマで計時されるグリル部燃焼残時間を表示可能な表示部を設けて、コンロ部燃焼残時間が零になるとコンロ部４，５の作動を停止させ、グリル部燃焼残時間が零になるとグリル部６の作動を停止させるグリル付コンロ１であって、コンロ部燃焼残時間とグリル部燃焼残時間とを、表示部に交互に表示させる表示制御手段３０を備える。【選択図】図１
2014137176.tif 000002
【特許請求の範囲】
【請求項１】
コンロ部を備えたコンロ本体にグリル部を配設し、前記コンロ本体に、コンロ部用タイマ及びグリル部用タイマを内蔵させると共に、前記コンロ部用タイマで計時されるコンロ部燃焼残時間及び前記グリル部用タイマで計時されるグリル部燃焼残時間を表示可能な表示部を設けて、前記コンロ部燃焼残時間が零になると前記コンロ部の作動を停止させ、前記グリル部燃焼残時間が零になると前記グリル部の作動を停止させるグリル付コンロであって、
前記コンロ部燃焼残時間と前記グリル部燃焼残時間とを、前記表示部に交互に表示させる表示制御手段を備えたことを特徴とするグリル付コンロ。
【請求項２】
前記表示部に前記コンロ部燃焼残時間と前記グリル部燃焼残時間との内のいずれを表示しているかを報知する報知手段を備えることを特徴とする請求項１に記載のグリル付コンロ。
【請求項３】
前記コンロ部燃焼残時間と前記グリル部燃焼残時間との内で表示順序が上位である一方を前記表示部に表示させる時間を、他方を前記表示部に表示させる時間よりも長く設定して、
前記表示順序の入れ替えの設定が可能な設定手段を備え、
前記表示制御手段は、前記設定手段によって入れ替えられた表示順序に従って、前記表示部に前記コンロ部燃焼残時間と前記グリル部燃焼時間とを交互に表示することを特徴とする請求項１又は２に記載のグリル付コンロ。
【発明の詳細な説明】
【技術分野】
【０００１】
この発明は、コンロ部を備えたコンロ本体にグリル部を配設し、前記コンロ本体に、コンロ部燃焼残時間及びグリル部燃焼残時間を表示可能な表示部を設けたグリル付コンロに関する。
【背景技術】
【０００２】
例えば、特許文献１には、コンロ部を設けたコンロ本体の内部にグリル部を備え、前記コンロ本体に、コンロ部用タイマで計時されるコンロ部燃焼残時間とグリル部用タイマで計時されるグリル部燃焼残時間とを表示可能な表示部を設けて、コンロ部燃焼残時間とグリル部燃焼残時間とを、前記表示部に選択的に表示させるグリル付コンロが開示されている。特許文献１のグリル付コンロによれば、コンロ部燃焼残時間を表示可能な一の表示部と、グリル部燃焼残時間を表示可能な他の表示部とをそれぞれ独立してコンロ本体に設ける場合とは異なり、該コンロ本体の大型化を抑制したり、表示部を作動させる電池の消費を抑制できる。
【先行技術文献】
【特許文献】
【０００３】
【特許文献１】特開平１１−２９４７７７号公報
【発明の概要】
【発明が解決しようとする課題】
【０００４】
しかしながら特許文献１のグリル付コンロでは、例えばユーザは、コンロ部燃焼残時間を確認するために該コンロ部燃焼残時間を表示部に表示させたい場合に、表示部に表示されているグリル部燃焼残時間を前記コンロ部燃焼残時間に切り替えるための操作をしなければならなかった。このような場合には、ユーザにとって、表示部の表示を切り替える操作が面倒であることから、コンロ部燃焼残時間とグリル部燃焼残時間との双方を簡単に確認できるとは言い難かった。
【０００５】
この発明は、このような状況に鑑み提案されたものであって、コンロ部燃焼残時間とグリル部燃焼残時間との双方を簡単に確認できるグリル付コンロを提供することを目的とする。
【課題を解決するための手段】
【０００６】
上記目的を達成するために、請求項１に記載の発明は、コンロ部を備えたコンロ本体にグリル部を配設し、コンロ本体に、コンロ部用タイマ及びグリル部用タイマを内蔵させると共に、コンロ部用タイマで計時されるコンロ部燃焼残時間及びグリル部用タイマで計時されるグリル部燃焼残時間を表示可能な表示部を設けて、コンロ部燃焼残時間が零になるとコンロ部の作動を停止させ、グリル部燃焼残時間が零になるとグリル部の作動を停止させるグリル付コンロであって、コンロ部燃焼残時間とグリル部燃焼残時間とを、表示部に交互に表示させる表示制御手段を備えたことを特徴とするものである。
請求項２に記載の発明は、請求項１の構成において、表示部にコンロ部燃焼残時間とグリル部燃焼残時間との内のいずれを表示しているかを報知する報知手段を備えることを特徴とするものである。
請求項３に記載の発明は、請求項１又は２の構成において、コンロ部燃焼残時間とグリル部燃焼残時間との内で表示順序が上位である一方を表示部に表示させる時間を、他方を表示部に表示させる時間よりも長く設定して、表示順序の入れ替えの設定が可能な設定手段を備え、表示制御手段は、設定手段によって入れ替えられた表示順序に従って、表示部にコンロ部燃焼残時間とグリル部燃焼時間とを交互に表示することを特徴とするものである。
【発明の効果】
【０００７】
請求項１に記載の発明によれば、ユーザが、表示部にコンロ部燃焼残時間とグリル部燃焼残時間とを切替表示させる操作を行わなくても、表示制御手段によって、コンロ部燃焼残時間とグリル部燃焼残時間との双方を自動的に表示部に表示させることが可能になる。よって、コンロ部燃焼残時間とグリル部燃焼残時間との双方を簡単に確認することが可能になる。
請求項２に記載の発明によれば、ユーザは、報知手段の報知内容を確認するだけで、表示部にコンロ部燃焼時間とグリル部燃焼時間との内のいずれが表示されているかを簡単に判別できる。
請求項３に記載の発明によれば、ユーザは、設定手段によって、コンロ部燃焼残時間とグリル部燃焼残時間との内の一方の表示順序を他方の表示順序よりも上位に設定することで、簡単に前記一方を前記他方よりも長く表示部に表示させるように変更することが可能になる。
【図面の簡単な説明】
【０００８】
【図１】本発明の実施形態のテーブルコンロの全体斜視図である。
【図２】同テーブルコンロに配置された操作パネルの拡大正面図である。
【図３】同テーブルコンロのコントローラが表示部にグリル部の燃焼残時間や右コンロの燃焼残時間を表示する処理に関する第１フローチャートである。
【図４】その第２フローチャートである。
【図５】その第３フローチャートである。
【図６】その第４フローチャートである。
【図７】その第５フローチャートである。
【発明を実施するための形態】
【０００９】
本発明の実施形態を図１ないし図７を参照しつつ説明する。図１には、本発明のグリル付コンロの一例であるテーブルコンロ１を示した。このテーブルコンロ１は横長のコンロ本体２を備えて、このコンロ本体２の天板３上に、左コンロ４と右コンロ５とが並設されている。さらにグリル部６が、前記コンロ本体２の中央に設けられており、グリル部６で発生する煙の排出孔７を前記天板３の後方中央部付近に開口させている。そしてコンロ本体２の前面中央に、被調理物が載置されるグリルパンと一体にされて該グリルパンをグリル部６に出し入れするグリル扉８を備えている。さらに、コンロ本体２の前面でグリル扉８の左右両側に、左コンロ４の点消火ボタン１０、グリル部６の点消火ボタン１１、右コンロ５の点消火ボタン１２を備えている。なお、左コンロ４及び右コンロ５は本発明のコンロ部の一例である。
【００１０】
加えて図１及び図２に示すように、コンロ本体２の前面で前記点消火ボタン１２の上方に、操作パネル２０が配置されている。図２に示すように操作パネル２０は、７セグメントの表示部２１と、アップスイッチ２２と、ダウンスイッチ２３と、左コンロＬＥＤ２４と、右コンロＬＥＤ２５と、グリルＬＥＤ２６と、燃焼残時間表示入替スイッチ２７（以下「表示入替スイッチ２７」という。）とを備えている。表示部２１は、左コンロ４あるいは右コンロ５の燃焼残時間又はグリル部６の燃焼残時間を２桁でディジタル表示可能である。アップスイッチ２２は、後述する左コンロ用タイマ、右コンロ用タイマ、グリル部用タイマの燃焼残時間を増加させるために用いられて、ダウンスイッチ２３は、前記燃焼残時間を減少させるために用いられる。左コンロＬＥＤ２４は、前記表示部２１に左コンロ４の燃焼残時間が表示されていることを報知可能である。右コンロＬＥＤ２５は、図３ないし図７を用いて後述するように、前記表示部２１に右コンロ５の燃焼残時間が表示されていることを報知可能である。グリルＬＥＤ２６は、図３ないし図７を用いて後述するように、前記表示部２１にグリル部６の燃焼残時間が表示されていることを報知可能である。表示入替スイッチ２７は、前記表示部２１に左コンロ４又は右コンロ５の燃焼残時間とグリル部６の燃焼残時間とを交互に表示させる際に、各コンロ４，５の燃焼残時間とグリル部６の燃焼残時間とを表示部２１に表示する順序の入れ替えの設定が可能である。加えて表示入替スイッチ２７は、各スイッチ２２，２３で左右のコンロ用タイマやグリル部用タイマの燃焼残時間を増減させる際に、該燃焼残時間を増減させる対象となる左右のコンロ用タイマやグリル部用タイマを選択可能である。なお、左コンロＬＥＤ２４、右コンロＬＥＤ２５、グリルＬＥＤ２６は本発明の報知手段の一例であり、表示入替スイッチ２７は本発明の設定手段の一例である。
【００１１】
また図１に示すようにコントローラ３０は、コンロ本体２の内部に収容されている。このコントローラ３０には、左コンロ用タイマ、右コンロ用タイマ、グリル部用タイマが内蔵されている。本実施形態では、左コンロ用タイマと右コンロ用タイマとの内の一方に燃焼残時間が設定されている場合には、他方には燃焼残時間が設定できないようにされている。さらにコントローラ３０は、左コンロ制御手段と、右コンロ制御手段と、グリル部制御手段とを備えている。左コンロ制御手段は、前記点消火ボタン１０の操作に応じて左コンロ４の作動を制御すると共に前記左コンロ用タイマで計時される左コンロ４の燃焼残時間が零になったときに左コンロ４を消火する制御を実行する。右コンロ制御手段は、前記点消火ボタン１２の操作に応じて右コンロ５の作動を制御すると共に前記右コンロ用タイマで計時される右コンロ５の燃焼残時間が零になったときに右コンロ５を消火する制御を実行する。グリル部制御手段は、前記点消火ボタン１１の操作に応じてグリル部６の作動を制御すると共に前記グリル部用タイマで計時されるグリル部６の燃焼残時間が零になったときにグリル部６を消火する制御を実行する。なお、左コンロ用タイマ及び右コンロ用タイマは本発明のコンロ部用タイマの一例であり、左コンロ４の燃焼残時間及び右コンロ５の燃焼残時間は本発明のコンロ部燃焼残時間の一例である。
【００１２】
加えてコントローラ３０は、グリル部６の点消火ボタン１１が点火位置に配置されると、図３を用いて後述するように表示部２１にグリル部６の燃焼残時間を表示する処理を実行する。またコントローラ３０は、左コンロ４の点消火ボタン１０が点火位置に配置されて上記の左コンロ用タイマに燃焼残時間が設定されている場合には、表示部２１に左コンロ４の燃焼残時間を表示する処理を実行する。一方、右コンロ５の点消火ボタン１２が点火位置に配置されて上記の右コンロ用タイマに燃焼残時間が設定されている場合には、図３を用いて後述するように表示部２１に右コンロ５の燃焼残時間を表示する処理を実行する。さらに加えて、例えばグリル部６の点消火ボタン１１と右コンロ５の点消火ボタン１２とが点火位置にそれぞれ配置されて右コンロ用タイマに燃焼残時間が設定されている場合には、図４ないし図７を用いて後述するように、コントローラ３０に内蔵されたグリル部燃焼残時間表示制御タイマとコンロ燃焼残時間表示制御タイマとを用い、表示部２１に、グリル部６の燃焼残時間を所定時間に亘って表示することと右コンロ５の燃焼残時間を所定時間に亘って表示することとを交互に行う。そして本実施形態では初期状態において、表示部２１にグリル部６の燃焼残時間を表示する順位を、表示部２１に右コンロ５の燃焼残時間を表示する順位よりも上位として、グリル部６の燃焼残時間を表示部２１に表示させる時間（５５秒）を、右コンロ５の燃焼残時間を表示部２１に表示させる時間（５秒）よりも長く設定した。なお、コントローラ３０は本発明の表示制御手段の一例である。
【００１３】
次に、コントローラ３０が表示部２１にグリル部６の燃焼残時間や右コンロ５の燃焼残時間を表示する処理の例を図３ないし図７を用いて説明する。コントローラ３０は、例えば１ｍｓｅｃ毎に該コントローラ３０の記憶装置に記憶されたプログラムに基づいて図３ないし図７に示すスタートからエンドまでの処理を繰り返し実行する。図３に示すようにコントローラ３０は、右コンロ５が使用中であるか否かを判断する（Ｓ１）。Ｓ１において、右コンロ５が使用中でないと判断した場合には、グリル部６が使用中であるか否かを判断する（Ｓ２）。
【００１４】
Ｓ２において、グリル部６が使用中でないと判断した場合には、コンロ燃焼残時間優先表示フラグＦ１を０にリセットすると共にコンロ燃焼残時間上位表示フラグＦ２を０にリセットする処理（Ｓ３）を実行する。加えてＳ３において、グリル部燃焼残時間表示制御タイマを５５秒に設定し、該グリル部燃焼残時間表示制御タイマをスタートさせる。一方Ｓ２において、グリル部６が使用中であると判断した場合には、グリルＬＥＤ点灯処理（Ｓ４）を実行する。グリルＬＥＤ点灯処理（Ｓ４）では、コントローラ３０が、点灯制御信号をグリルＬＥＤ２６（図２参照。）に送信して該グリルＬＥＤ２６を点灯させる処理を実行する。本実施形態ではコントローラ３０は、グリル部６が使用中であると判断すると前記グリル部用タイマの動作を開始させるようにしている。
【００１５】
グリルＬＥＤ点灯処理（Ｓ４）の後にはグリル部燃焼残時間表示処理（Ｓ５）を実行する。グリル部燃焼残時間表示処理（Ｓ５）では、グリル部用タイマで設定された時間が経過するまでグリル部６の燃焼残時間を表示部２１（図２参照。）に表示させる。本実施形態では、Ｓ４及びＳ５の処理によって、グリル部６の燃焼残時間を表示部２１に表示しているときはグリルＬＥＤ２６を点灯させることができる。このため、ユーザは、グリルＬＥＤ２６の点灯を確認するだけで、表示部２１にグリル部６の燃焼残時間が表示されていることを簡単に判別できる。
【００１６】
グリル部燃焼残時間表示処理（Ｓ５）の後には上述したＳ３の処理を実行する。なおコントローラ３０は、グリル部用タイマに設定された時間が経過したと判断した場合には、グリルＬＥＤ２６を消灯させる。ここでは、コントローラ３０が、前記点灯制御信号（前記Ｓ４参照。）をグリルＬＥＤ２６に送信することを中止して該グリルＬＥＤ２６を消灯させる。
【００１７】
また上記のＳ１において、右コンロ５が使用中であると判断した場合には、右コンロ用タイマが計時動作中であるか否かを判断する（Ｓ８）。Ｓ８において右コンロ用タイマが右コンロ５の燃焼残時間をカウントダウンする動作をしておらず前記計時動作中でないと判断した場合には、上述したＳ２の判断にジャンプする処理を実行する。一方Ｓ８において前記計時動作中であると判断した場合には、グリル部６が使用中であるか否かを判断する（Ｓ９）。ここでは、図３中のＳ２と同様の判断がされる。
【００１８】
Ｓ９においてグリル部６が使用中でないと判断した場合には、右コンロＬＥＤ点灯処理（Ｓ１０）を実行する。右コンロＬＥＤ点灯処理（Ｓ１０）では、コントローラ３０が、点灯制御信号を右コンロＬＥＤ２５（図２参照。）に送信して該右コンロＬＥＤ２５を点灯させる処理を実行する。
【００１９】
右コンロＬＥＤ点灯処理（Ｓ１０）の後には右コンロ燃焼残時間表示処理（Ｓ１１）を実行する。右コンロ燃焼残時間表示処理（Ｓ１１）では、右コンロ用タイマで設定された燃焼残時間が経過するまで該燃焼残時間を表示部２１に表示させる。本実施形態では、Ｓ１０及びＳ１１の処理によって、右コンロ５の燃焼残時間を表示部２１に表示しているときは右コンロＬＥＤ２５を点灯させることができる。これにより、右コンロＬＥＤ２５の点灯を確認するだけで、表示部２１に右コンロ５の燃焼残時間が表示されていることを簡単に判別できる。
【００２０】
右コンロ燃焼残時間表示処理（Ｓ１１）の後には上述したＳ３の処理を実行する。なおコントローラ３０は、右コンロ用タイマに設定された時間が経過したと判断した場合には、右コンロＬＥＤ２５を消灯させる。ここでは、コントローラ３０が、前記点灯制御信号（前記Ｓ１０参照。）を右コンロＬＥＤ２５に送信することを中止して該右コンロＬＥＤ２５を消灯させる。なお、Ｓ９でグリル部６が使用中であると判断されない限り（右コンロ用タイマ又はグリル部用タイマが単独で使用される場合）、Ｓ３でグリル部燃焼残時間表示制御タイマが一定間隔毎に繰り返しスタートすることになるが、グリル部燃焼残時間表示制御タイマは、右コンロ用タイマとグリル部用タイマとが同時使用される場合に必要なものであるため、特に問題は生じない。
【００２１】
図３及び図４に示すように上記のＳ９において、グリル部６が使用中であると判断した場合には、コンロ燃焼残時間上位表示フラグＦ２が１にセットされているか否かを判断する（Ｓ２０）。Ｓ２０において、前記Ｆ２が０にリセットされて１にセットされていないと判断した場合には、コンロ燃焼残時間優先表示フラグＦ１が１にセットされているか否かを判断する（Ｓ２１）。本実施形態ではコンロ燃焼残時間上位表示フラグＦ２が０にリセットされた時点で、グリル部燃焼残時間表示制御タイマの初期値を５５秒、コンロ燃焼残時間表示制御タイマの初期値を５秒にそれぞれ設定する。Ｓ２１において前記Ｆ１が０にリセットされて１にセットされていないと判断した場合には、グリルＬＥＤ点滅処理（Ｓ２２）、右コンロＬＥＤ点灯処理（Ｓ２３）をそれぞれ実行する。グリルＬＥＤ点滅処理（Ｓ２２）ではコントローラ３０が、グリルＬＥＤ２６に点滅制御信号を送信して該グリルＬＥＤ２６を点滅させる処理を実行し、右コンロＬＥＤ点灯処理（Ｓ２３）ではコントローラ３０が、右コンロＬＥＤ２５に点灯制御信号を送信して該右コンロＬＥＤ２５を点灯させる処理を実行する。
【００２２】
右コンロＬＥＤ点灯処理（Ｓ２３）の後に表示燃焼残時間選択処理（Ｓ２４）を実行する。この表示燃焼残時間選択処理（Ｓ２４）では、コンロ燃焼残時間優先表示フラグＦ１が０にリセットされていることに基づいて表示部２１に表示させる燃焼残時間としてグリル部６の燃焼残時間を選択する。表示燃焼残時間選択処理（Ｓ２４）の後にはグリル部燃焼残時間表示処理（Ｓ２５）を実行する。グリル部燃焼残時間表示処理（Ｓ２５）では、グリル部燃焼残時間表示制御タイマの設定時間（ここでは５５秒）が経過するまでグリル部６の燃焼残時間を表示部２１に表示させる処理を実行する。グリル部燃焼残時間表示処理（Ｓ２５）の後に、Ｓ２６においてグリル部燃焼残時間表示制御タイマの設定時間（５５秒）が経過しておらず、Ｓ２７においてユーザによって表示入替スイッチ２７（図２参照。）が押下されていないと判断した場合には、後述するＳ３７の処理を行わずに一連の処理を終了する。なおＳ２６では、Ｓ３，Ｓ４８，Ｓ６７等でグリル部燃焼残時間表示制御タイマがスタートしてから５５秒が経過しているかどうかを、本フローチャートがスタートしてからエンドまで達した回数と処理間隔に基づき判定する。
【００２３】
一方Ｓ２６において前記設定時間（５５秒）が経過したと判断した場合には、コンロ燃焼残時間優先表示フラグＦ１を１にセットし、コンロ燃焼残時間表示制御タイマをスタートさせる処理（Ｓ２９）を実行する。Ｓ２９の処理の後には、図３に示すＳ１の処理から一連の処理を行い、図４に示すＳ２１においてコンロ燃焼残時間優先表示フラグＦ１が１にセットされていると判断すると、図６に示すグリルＬＥＤ点灯処理（Ｓ６１）を実行する。グリルＬＥＤ点灯処理（Ｓ６１）ではコントローラ３０が、グリルＬＥＤ２６に点灯制御信号を送信して該グリルＬＥＤ２６を点灯させる処理を実行する。グリルＬＥＤ点灯処理（Ｓ６１）の後に表示燃焼残時間選択処理（Ｓ６２）を実行する。この表示燃焼残時間選択処理（Ｓ６２）では、コンロ燃焼残時間優先表示フラグＦ１が１にセットされていることに基づいて表示部２１に表示させる燃焼残時間として右コンロ５の燃焼残時間を選択する。その後、右コンロ燃焼残時間表示処理（Ｓ６３）、右コンロＬＥＤ点滅処理（Ｓ６４）を実行する。この右コンロ燃焼残時間表示処理（Ｓ６３）では、コンロ燃焼残時間表示制御タイマの設定時間（５秒）が経過するまで右コンロ５の燃焼残時間を表示部２１に表示させる処理を実行する。なおＳ６３では、Ｓ２９，Ｓ８７でコンロ燃焼残時間表示制御タイマがスタートしてから５秒が経過しているかどうかを、Ｓ２９，Ｓ８７で前記コンロ燃焼残時間表示制御タイマがスタートしてからの本フローチャートの処理回数と処理間隔に基づいて判断する。さらに、右コンロＬＥＤ点滅処理（Ｓ６４）では、前記設定時間（５秒）が経過するまでコントローラ３０が点滅制御信号を右コンロＬＥＤ２５に送信して該右コンロＬＥＤ２５を点滅させる処理を実行する。
【００２４】
右コンロＬＥＤ点滅処理（Ｓ６４）の後にＳ６５においてコンロ燃焼残時間表示制御タイマの設定時間（５秒）が経過しておらず、Ｓ６６において表示入替スイッチ２７が押下されていないと判断した場合には、後述するＳ７５の処理を行わずに一連の処理を終了する。一方Ｓ６５において前記設定時間（５秒）が経過したと判断した場合には、コンロ燃焼残時間優先表示フラグＦ１を０にリセットし、Ｓ３と同様にグリル部燃焼残時間表示制御タイマをスタートさせる処理（Ｓ６７）を実行する。そして次回の処理では、Ｓ２２〜Ｓ２７までの処理が、Ｓ２６で５５秒が経過したと判断されるまで繰り返される。本実施形態では、上述したＳ２５及びＳ６３の処理によって、表示部２１に、グリル部６の燃焼残時間を５５秒間に亘って表示することと右コンロ５の燃焼残時間を５秒間に亘って表示することとを交互に行うことができる。これにより、グリル部６の燃焼残時間と右コンロ５の燃焼残時間との双方を自動的に表示部２１に表示させることが可能になる。
【００２５】
なおコントローラ３０は、グリル部用タイマ及び右コンロ用タイマの各設定時間が経過したと判断した場合に、グリルＬＥＤ２６や右コンロＬＥＤ２５をそれぞれ消灯させる。
【００２６】
図４中のＳ２７において、ユーザによって表示入替スイッチ２７が押下されることで、表示部２１における右コンロ５の燃焼残時間の表示順位がグリル部６の燃焼残時間の表示順位よりも上位に設定されたと判断した場合には、コンロ燃焼残時間優先表示フラグＦ１を１にセットすると共にコンロ燃焼残時間上位表示フラグＦ２を１にセットする処理（Ｓ３７）を実行する。Ｓ３７の処理においてコンロ燃焼残時間上位表示フラグＦ２を１にセットした時点で、コンロ燃焼残時間表示制御タイマをスタートさせる。
【００２７】
図４及び図５に示すようにＳ３７の処理の後に、図３に示すＳ１の処理から一連の処理を行って、Ｓ２０においてコンロ燃焼残時間上位表示フラグＦ２が１にセットされていると判断した場合には、コンロ燃焼残時間優先表示フラグＦ１が１にセットされているか否かを判断する（Ｓ４１）。Ｓ４１において、前記Ｓ３７の処理で前記Ｆ１が１にセットされていると判断した場合には、グリルＬＥＤ点灯処理（Ｓ４２）を実行する。グリルＬＥＤ点灯処理（Ｓ４２）では、図６中のＳ６１の処理と同様にグリルＬＥＤ２６を点灯させる処理を実行する。
【００２８】
グリルＬＥＤ点灯処理（Ｓ４２）の後に表示燃焼残時間選択処理（Ｓ４３）を実行する。この表示燃焼残時間選択処理（Ｓ４３）では、コンロ燃焼残時間優先表示フラグＦ１が１にセットされていることに基づいて表示部２１に表示させる燃焼残時間として右コンロ５の燃焼残時間を選択する。その後、右コンロ燃焼残時間表示処理（Ｓ４４）、右コンロＬＥＤ点滅処理（Ｓ４５）を実行する。この右コンロ燃焼残時間表示処理（Ｓ４４）では、コンロ燃焼残時間表示制御タイマの設定時間（５５秒）が経過するまで右コンロ５の燃焼残時間を表示部２１に表示する処理を実行し、右コンロＬＥＤ点滅処理（Ｓ４５）では、前記設定時間（５５秒）が経過するまで右コンロＬＥＤ２５を点滅させる処理を実行する。右コンロＬＥＤ点滅処理（Ｓ４５）の後に、Ｓ４６において、コンロ燃焼残時間表示制御タイマのスタートから該コンロ燃焼残時間表示制御タイマの設定時間（５５秒）が経過しておらず、Ｓ４７において表示入替スイッチ２７が押下されていないと判断した場合には、後述するＳ５６の処理を行わずに一連の処理を終了する。
【００２９】
一方Ｓ４６において前記設定時間（５５秒）が経過したと判断した場合には、コンロ燃焼残時間優先表示フラグＦ１を０にリセットし、グリル部燃焼残時間表示制御タイマをスタートさせる処理（Ｓ４８）を実行する。図５に示すようにＳ４８の処理の後に、図３に示すＳ１の処理から一連の処理を行って、Ｓ４１においてコンロ燃焼残時間優先表示フラグＦ１が０にリセットされていると判断した場合には、図７に示すグリルＬＥＤ点滅処理（Ｓ８０）、右コンロＬＥＤ点灯処理（Ｓ８１）を実行する。これらの処理（Ｓ８０，Ｓ８１）により、グリルＬＥＤ２６を点滅させて右コンロＬＥＤ２５を点灯させる。その後、表示燃焼残時間選択処理（Ｓ８２）を実行する。この表示燃焼残時間選択処理（Ｓ８２）では、コンロ燃焼残時間優先表示フラグＦ１が０にリセットされていることに基づいて表示部２１に表示させる燃焼残時間としてグリル部６の燃焼残時間を選択する。続いて、グリル部燃焼残時間表示処理（Ｓ８３）を実行して、グリル部６の燃焼残時間を、グリル部燃焼残時間表示制御タイマのスタートから該グリル部燃焼残時間表示制御タイマの設定時間（５秒）が経過するまで表示部２１に表示させる。さらにＳ８４においてグリル部燃焼残時間表示制御タイマの設定時間（５秒）が経過しておらず、Ｓ８５において表示入替スイッチ２７が押下されていないと判断した場合には、後述するＳ９５の処理を行わずに一連の処理を終了する。一方Ｓ８４において前記設定時間（５秒）が経過したと判断した場合には、コンロ燃焼残時間優先表示フラグＦ１を１にセットし、コンロ燃焼残時間表示制御タイマをスタートさせる処理（Ｓ８７）を実行する。本実施形態では、上述したＳ４４及びＳ８３の処理によって、表示部２１に、右コンロ５の燃焼残時間を５５秒間に亘って表示することとグリル部６の燃焼残時間を５秒間に亘って表示することとを交互に行うことができる。ここでは特に、グリル部６の燃焼残時間を表示部２１に表示中に図４中のＳ２７で右コンロ５の燃焼残時間の表示順位がグリル部６の燃焼残時間の表示順位よりも上位に設定されたことで、表示部２１に右コンロ５の燃焼残時間をグリル部６の燃焼残時間よりも長く表示させることができる。なおコントローラ３０は、グリル部用タイマ及び右コンロ用タイマの各設定時間が経過したと判断した場合には、グリルＬＥＤ２６や右コンロＬＥＤ２５をそれぞれ消灯させる。
【００３０】
また図５中のＳ４７において、表示入替スイッチ２７が押下されることで、表示部２１におけるグリル部６の燃焼残時間の表示順位が右コンロ５の燃焼残時間の表示順位よりも上位に設定されたと判断した場合には、コンロ燃焼残時間優先表示フラグＦ１を０にリセットすると共にコンロ燃焼残時間上位表示フラグＦ２を０にリセットする処理（Ｓ５６）を実行する。Ｓ５６の処理においてコンロ燃焼残時間上位表示フラグＦ２を０にリセットした時点で、グリル部燃焼残時間表示制御タイマの初期値を５５秒、コンロ燃焼残時間表示制御タイマの初期値を５秒にそれぞれ設定する。また、Ｓ５６の処理においては、グリル部燃焼残時間表示制御タイマをスタートさせる。
【００３１】
上記のＳ５６の処理の後に、図３に示すＳ１の処理から一連の処理を行って、図４及び図６に示すように、Ｓ２０においてコンロ燃焼残時間上位表示フラグＦ２が０にリセットされていると判断し、Ｓ２１においてコンロ燃焼残時間優先表示フラグＦ１が０にリセットされていると判断した場合には、上述したＳ２５及びＳ６３の処理によって、表示部２１に、グリル部６の燃焼残時間を５５秒間に亘って表示することと右コンロ５の燃焼残時間を５秒間に亘って表示することとを交互に行うことができる。
【００３２】
また図６中のＳ６６において、表示入替スイッチ２７が押下されることで、表示部２１における右コンロ５の燃焼残時間の表示順位がグリル部６の燃焼残時間の表示順位よりも上位に設定されたと判断した場合には、コンロ燃焼残時間優先表示フラグＦ１を０にリセットすると共にコンロ燃焼残時間上位表示フラグＦ２を１にセットする処理（Ｓ７５）を実行する。Ｓ７５の処理においてコンロ燃焼残時間上位表示フラグＦ２を１にセットした時点で、コンロ燃焼残時間表示制御タイマの初期値を５５秒、グリル部燃焼残時間表示制御タイマの初期値を５秒にそれぞれ設定し、グリル部燃焼残時間表示制御タイマをスタートさせる。
【００３３】
上記のＳ７５の処理の後には、図３に示すＳ１の処理から一連の処理を行い、図４中のＳ２０においてコンロ燃焼残時間上位表示フラグＦ２が１にセットされていると判断され、図５中のＳ４１においてコンロ燃焼残時間優先表示フラグＦ１が０にリセットされていると判断されると、図７に示すように、グリルＬＥＤ点滅処理（Ｓ８０）、右コンロＬＥＤ点灯処理（Ｓ８１）を実行する。これらの処理（Ｓ８０，Ｓ８１）により、グリルＬＥＤ２６を点滅させて右コンロＬＥＤ２５を点灯させる。その後表示燃焼残時間選択処理（Ｓ８２）、グリル部燃焼残時間表示処理（Ｓ８３）を実行して、グリル部６の燃焼残時間を、グリル部燃焼残時間表示制御タイマのスタートから該グリル部燃焼残時間表示制御タイマの設定時間（５秒）だけ表示部２１に表示させた後に、直ちに以下の説明のように右コンロ５の燃焼残時間をコンロ燃焼残時間表示制御タイマの設定時間（５５秒）が経過するまで表示部２１に表示させる処理（Ｓ４４）を実行する。なおＳ８４においてグリル部燃焼残時間表示制御タイマの設定時間（５秒）が経過しておらず、Ｓ８５において表示入替スイッチ２７が押下されていないと判断した場合には、後述するＳ９５の処理を行わずに一連の処理を終了し、再度スタートからの処理を開始する。
【００３４】
一方Ｓ８４において前記設定時間（５秒）が経過したと判断した場合には、コンロ燃焼残時間優先表示フラグＦ１を１にセットする処理をし、コンロ燃焼残時間表示制御タイマをスタートさせる処理（Ｓ８７）を実行する。その後、図３に示すＳ１の処理から一連の処理を行って図５に示すように、グリルＬＥＤ点灯処理（Ｓ４２）によってグリルＬＥＤ２６を点灯させる。続いて、表示燃焼残時間選択処理（Ｓ４３）、右コンロ燃焼残時間表示処理（Ｓ４４）、右コンロＬＥＤ点滅処理（Ｓ４５）を実行する。これらの処理（Ｓ４３〜Ｓ４５）によって、コンロ燃焼残時間表示制御タイマのスタートから該コンロ燃焼残時間表示制御タイマの設定時間（５５秒）が経過するまで右コンロ５の燃焼残時間を表示部２１に表示させると共に該設定時間が経過するまで右コンロＬＥＤ２５を点滅させる。
【００３５】
右コンロＬＥＤ点滅処理（Ｓ４５）の後にＳ４６においてコンロ燃焼残時間表示制御タイマの設定時間（５５秒）が経過したと判断した場合には、コンロ燃焼残時間優先表示フラグＦ１を０にリセットし、グリル部燃焼残時間表示制御タイマをスタートさせる処理（Ｓ４８）を実行する。本実施形態では、上述したＳ４４及びＳ８３の処理によって、表示部２１に、右コンロ５の燃焼残時間を５５秒間に亘って表示することとグリル部６の燃焼残時間を５秒間に亘って表示することとを交互に行うことができる。なおコントローラ３０は、グリル部用タイマ及び右コンロ用タイマの各設定時間が経過したと判断した場合に、グリルＬＥＤ２６や右コンロＬＥＤ２５をそれぞれ消灯させる。
【００３６】
また図７中のＳ８５において、表示入替スイッチ２７が押下されることで、表示部２１におけるグリル部６の燃焼残時間の表示順位が右コンロ５の燃焼残時間の表示順位よりも上位に設定されたと判断した場合には、コンロ燃焼残時間優先表示フラグＦ１を１にセットすると共にコンロ燃焼残時間上位表示フラグＦ２を０にリセットし、コンロ燃焼残時間表示制御タイマをスタートさせる処理（Ｓ９５）を実行する。Ｓ９５の処理においてコンロ燃焼残時間上位表示フラグＦ２を０にリセットした時点で、グリル部燃焼残時間表示制御タイマの初期値を５５秒、コンロ燃焼残時間表示制御タイマの初期値を５秒にそれぞれ設定する。この処理（Ｓ９５）の後には、図３に示すＳ１の処理から一連の処理を行って図６中の右コンロ燃焼残時間表示処理（Ｓ６３）を実行して、右コンロ５の燃焼残時間を、コンロ燃焼残時間表示制御タイマのスタートから該コンロ燃焼残時間表示制御タイマの設定時間（５秒）だけ表示部２１に表示させた後に、直ちに図４中のグリル部燃焼残時間表示処理（Ｓ２５）を実行して、グリル部６の燃焼残時間をグリル部燃焼残時間表示制御タイマの設定時間（５５秒）が経過するまで表示部２１に表示させる処理を実行する。その後は、図４中のＳ２５及び図６中のＳ６３の処理によって、表示部２１に、グリル部６の燃焼残時間を５５秒に亘って表示することと右コンロ５の燃焼残時間を５秒に亘って表示することとを交互に行うことができる。
【００３７】
＜本実施形態の効果＞
本実施形態のテーブルコンロ１では、ユーザが、表示部２１に右コンロ５の燃焼残時間とグリル部６の燃焼残時間とを切替表示させる操作を行わなくても、コントローラ３０が図４ないし図７に示したグリル部燃焼残時間表示処理（Ｓ２５，Ｓ８３）と右コンロ燃焼残時間表示処理（Ｓ４４，Ｓ６３）とを交互に行うことで、右コンロ５の燃焼残時間とグリル部６の燃焼残時間との双方を自動的に表示部２１に表示させることが可能になる。よって、右コンロ５の燃焼残時間とグリル部６の燃焼残時間との双方を簡単に確認することが可能になる。
【００３８】
また、例えばコントローラ３０は、図３に示したグリルＬＥＤ点灯処理（Ｓ４）及びグリル部燃焼残時間表示処理（Ｓ５）を行うことで、グリル部６の燃焼残時間を表示部２１に表示しているときはグリルＬＥＤ２６を点灯させることができる。よってユーザは、グリルＬＥＤ２６の点灯を確認するだけで、表示部２１にグリル部６の燃焼残時間が表示されていることを簡単に判別できる。加えて例えばコントローラ３０は、図３に示した右コンロ燃焼残時間表示処理（Ｓ１１）及び右コンロＬＥＤ点灯処理（Ｓ１０）を行うことで、右コンロ５の燃焼残時間を表示部２１に表示しているときは右コンロＬＥＤ２５を点灯させることができる。よってユーザは、右コンロＬＥＤ２５の点灯を確認するだけで、表示部２１に右コンロ５の燃焼残時間が表示されていることを簡単に判別できる。
【００３９】
さらに例えばコントローラ３０は、図４に示したＳ２７において、ユーザによって、表示入替スイッチ２７が押されて表示部２１における右コンロ５の燃焼残時間の表示順位がグリル部６の燃焼残時間の表示順位よりも上位に設定されたと判断すると、図５に示した右コンロ燃焼残時間表示処理（Ｓ４４）によって、右コンロ５の燃焼残時間を５５秒間に亘って表示部２１に表示し、図７に示したグリル部燃焼残時間表示処理（Ｓ８３）によって、グリル部６の燃焼残時間を５秒間に亘って表示することができる。よって、ユーザが表示入替スイッチ２７を押すだけで、簡単に右コンロ５の燃焼残時間をグリル部６の燃焼残時間よりも長く表示部２１に表示させるように変更するが可能になる。
【００４０】
本発明は、上述した実施形態に限定されるものではなく発明の趣旨を逸脱しない範囲内において構成の一部を適宜変更して実施できる。上述した実施形態では、右コンロ５の燃焼残時間とグリル部６の燃焼残時間との双方を自動的に表示部２１に表示させる例を示したが、これに限らず、左コンロ４の燃焼残時間とグリル部６の燃焼残時間との双方を自動的に表示部２１に表示させてもよい。
【００４１】
また例えば上述した実施形態とは異なり、各コンロＬＥＤ２４，２５及びグリルＬＥＤ２６に代えて、各コンロ４，５の燃焼残時間を表示部２１に表示中であることをユーザに音声で知らせたり、グリル部６の燃焼残時間を表示部２１に表示中であることをユーザに音声で知らせてもよい。
【００４２】
さらに上述した実施形態とは異なり、表示部２１に右コンロ５の燃焼残時間を表示する時間をグリル部６の燃焼残時間を表示する時間と同じにして、右コンロ５の燃焼残時間とグリル部６の燃焼残時間とを交互に表示部２１に表示させてもよい。加えて本発明はテーブルコンロに限らずビルトインコンロにも適用可能である。
【符号の説明】
【００４３】
１・・テーブルコンロ、２・・コンロ本体、４・・左コンロ、５・・右コンロ、６・・グリル部、２１・・表示部、２４・・左コンロＬＥＤ、２５・・右コンロＬＥＤ、２６・・グリルＬＥＤ、２７・・表示入替スイッチ、３０・・コントローラ。
【図１】
2014137176.tif 000003
【図２】
2014137176.tif 000004
【図３】
2014137176.tif 000005
【図４】
2014137176.tif 000006
【図５】
2014137176.tif 000007
【図６】
2014137176.tif 000008
【図７】
2014137176.tif 000009